(57)【要約】      【課題】  デジタルＴＶ放送とアナログＴＶ放送との切り替わり時に発生し得る映像及び音声の遅れや進みを解消する。      【解決手段】  サイマル方式のデジタルテレビジョン放送とアナログテレビジョン放送とを受信して捕捉するものであって、デジタルテレビジョン放送の受信強度が所定値よりも低い場合にのみ、外部機器への出力をアナログテレビジョン放送に切り替えるものにおいて、アナログテレビジョン放送の信号を一定時間遅延させて処理する。【選択図】      図２
2006173964.tif 000002
【特許請求の範囲】
【請求項１】
サイマル方式のデジタルテレビジョン放送とアナログテレビジョン放送とを受信して捕捉するテレビジョン放送受信機であって、デジタルテレビジョン放送の受信強度が所定値よりも低い場合にのみ、外部機器への出力をアナログテレビジョン放送に切り替えるテレビジョン放送受信機において、
アナログテレビジョン放送の信号を一定時間遅延させて処理すること、を特徴とするテレビジョン放送受信機。
【請求項２】
該遅延時間が、信号捕捉から外部機器への出力に至るデジタルテレビジョン放送の信号処理に要する時間からアナログテレビジョン放送の信号処理に要する時間を引いたものと実質的に等しいこと、を特徴とする請求項１に記載のテレビジョン放送受信機。
【請求項３】
アナログテレビジョン放送の信号を、該遅延時間に相当する期間だけ格納する格納手段を有したこと、を特徴とする請求項１又は請求項２のいずれかに記載のテレビジョン放送受信機。
【請求項４】
前記格納手段が、少なくとも該遅延時間に相当する期間の映像及び音声の信号を蓄積できること、を特徴とする請求項３に記載のテレビジョン放送受信機。
【請求項５】
デジタルテレビジョン放送と、該デジタルテレビジョン放送と同一内容のアナログテレビジョン放送とを同時に受信・捕捉していずれか一方を選択的に出力するテレビジョン放送受信機において、
アナログテレビジョン放送の信号を一定時間遅延させて処理すること、を特徴とするテレビジョン放送受信機。
【請求項６】
サイマル方式のデジタルテレビジョン放送とアナログテレビジョン放送とを受信して捕捉するテレビジョン放送受信機であって、デジタルテレビジョン放送の受信強度が所定値よりも低い場合にのみ、外部機器への出力をアナログテレビジョン放送に切り替えるテレビジョン放送受信機において、
信号捕捉から外部機器への出力に至る、デジタルテレビジョン放送の信号処理に要する時間と、アナログテレビジョン放送の信号処理に要する時間とを、実質的に同一としたこと、を特徴とするテレビジョン放送受信機。
【請求項７】
デジタルテレビジョン放送とアナログテレビジョン放送の信号処理に要する時間が実質的に同一となるように、アナログテレビジョン放送の信号を一定時間遅延させて処理すること、を特徴とする請求項６に記載のテレビジョン放送受信機。
【請求項８】
信号捕捉から外部機器への出力に至る、デジタルテレビジョン放送の信号処理を実行するデジタル信号処理部と、アナログテレビジョン放送の信号処理を実行するアナログ信号処理部と、を備え、デジタルテレビジョン放送と、該デジタルテレビジョン放送と同一内容のアナログテレビジョン放送とを同時に受信・捕捉していずれか一方を選択的に出力するテレビジョン放送受信機において、
該アナログテレビジョン放送の信号処理の中に、当該信号を一定時間遅延させる処理を含むこと、を特徴とするテレビジョン放送受信機。
【請求項９】
移動体に備えられていること、を特徴とする請求項１から請求項８のいずれかに記載のテレビジョン放送受信機。
【請求項１０】
サイマル方式のデジタルテレビジョン放送とアナログテレビジョン放送とを受信して捕捉するテレビジョン放送受信方法であって、デジタルテレビジョン放送の受信強度が所定値よりも低い場合にのみ、出力される番組をアナログテレビジョン放送のものに切り替えるテレビジョン放送受信方法において、
アナログテレビジョン放送の信号を一定時間遅延させて処理すること、を特徴とするテレビジョン放送受信方法。
【発明の詳細な説明】
【技術分野】
【０００１】
この発明は、サイマル方式のデジタルテレビジョン放送（以下、デジタルＴＶ放送と略記）とアナログテレビジョン放送（以下、アナログＴＶ放送と略記）とを受信して捕捉するテレビジョン放送受信機及びテレビジョン放送受信方法に関する。
【背景技術】
【０００２】
近年、地上波のデジタルＴＶ放送が普及し始めている。しかしながらその普及には膨大な時間とコストを必要とし、現段階では一部の地域でしかデジタルＴＶ放送を視聴することができない。また、デジタルＴＶ放送を視聴できないＴＶのみを有するユーザも数多く存在する。これらの事情を鑑みて、現在、デジタルＴＶ放送とアナログＴＶ放送とのサイマル放送（すなわちデジタル及びアナログの両方式で同一時間に同一コンテンツを放送すること）が実施されている。
【０００３】
上述したように地域によってデジタルＴＶ放送を受信できないところがある為、例えば車両に代表される移動体に搭載されたＴＶ放送用の受信機では、移動による受信状態の変化に拘わらずＴＶ番組をユーザが継続して視聴できるよう、デジタルＴＶ放送とアナログＴＶ放送の両放送を受信・捕捉できることが望ましい。この為、両放送を受信・捕捉可能なテレビジョン放送受信機が種々提案され、実用に供されている（例えば特許文献１）。なお、特許文献１に示されたテレビジョン放送受信機では、デジタルＴＶ放送の受信感度に基づいて、出力映像及び音声をデジタルＴＶ放送又はアナログＴＶ放送のものに切り替えている。また、ここでいうユーザとは、例えば、車両停止中における運転手、或いは、助手席や後部座席に座っている同乗者などを示す。
【特許文献１】特開２００１−１２８０７８号公報
【発明の開示】
【発明が解決しようとする課題】
【０００４】
ここで、上記特許文献１に示されたようなテレビジョン放送受信機では、信号捕捉から外部機器への出力に至るデジタルＴＶ放送の信号処理に要する時間が、アナログＴＶ放送の信号処理に要する時間よりも長い（仕様によって異なるが例えば１〜１．５秒程度長い）。従って、デジタルＴＶ放送からアナログＴＶ放送に切り替わった時、モニタには、切り替わる直前の映像に対して１〜１．５秒程度進んだものが表示される。また、スピーカからは、切り替わる直前の音声に対して１〜１．５秒程度進んだものが出力される。ＴＶ番組が一部（１〜１．５秒程度の映像及び音声）抜けた状態で出力される為、ユーザは違和感や不快感を覚え得る。
【０００５】
また、アナログＴＶ放送からデジタルＴＶ放送に切り替わった時、モニタには、切り替わる直前の映像に対して１〜１．５秒程度遅れたものが表示される。また、スピーカからは、切り替わる直前の音声に対して１〜１．５秒程度遅れたものが出力される。ＴＶ番組が一部（１〜１．５秒程度の映像及び音声）繰り返して出力される為、前述と同様に、ユーザは違和感や不快感を覚え得る。
【０００６】
そこで、本発明は上記の事情に鑑み、デジタルＴＶ放送とアナログＴＶ放送との切り替わり時に発生し得る映像及び音声の遅れや進みを解消できるテレビジョン放送受信機及びテレビジョン放送受信方法を提供することを目的とする。
【課題を解決するための手段】
【０００７】
上記の課題を解決する本発明の一態様に係るテレビジョン放送受信機は、サイマル方式のデジタルテレビジョン放送とアナログテレビジョン放送とを受信して捕捉するものであって、デジタルテレビジョン放送の受信強度が所定値よりも低い場合にのみ、外部機器への出力をアナログテレビジョン放送に切り替えるものであり、アナログテレビジョン放送の信号を一定時間遅延させて処理する。
【０００８】
なお、上記テレビジョン放送受信機では、該遅延時間が、信号捕捉から外部機器への出力に至るデジタルテレビジョン放送の信号処理に要する時間からアナログテレビジョン放送の信号処理に要する時間を引いたものと実質的に等しくても良い。
【０００９】
また、上記テレビジョン放送受信機が、アナログテレビジョン放送の信号を該遅延時間に相当する期間だけ格納する格納手段を有したものであっても良い。この格納手段は、例えば少なくとも該遅延時間に相当する期間の映像及び音声の信号を蓄積できる。
【００１０】
また、上記の課題を解決する本発明の別の態様に係るテレビジョン放送受信機は、デジタルテレビジョン放送と、該デジタルテレビジョン放送と同一内容のアナログテレビジョン放送とを同時に受信・捕捉していずれか一方を選択的に出力するものであり、アナログテレビジョン放送の信号を一定時間遅延させて処理する。
【００１１】
また、上記の課題を解決する本発明の別の態様に係るテレビジョン放送受信機は、サイマル方式のデジタルテレビジョン放送とアナログテレビジョン放送とを受信して捕捉するものであって、デジタルテレビジョン放送の受信強度が所定値よりも低い場合にのみ、外部機器への出力をアナログテレビジョン放送に切り替えるものであり、信号捕捉から外部機器への出力に至る、デジタルテレビジョン放送の信号処理に要する時間と、アナログテレビジョン放送の信号処理に要する時間とを、実質的に同一としたことを特徴する。
【００１２】
なお、上記テレビジョン放送受信機では、デジタルテレビジョン放送とアナログテレビジョン放送の信号処理に要する時間が実質的に同一となるように、アナログテレビジョン放送の信号を一定時間遅延させて処理することができる。
【００１３】
また、上記の課題を解決する本発明の別の態様に係るテレビジョン放送受信機は、信号捕捉から外部機器への出力に至る、デジタルテレビジョン放送の信号処理を実行するデジタル信号処理部と、アナログテレビジョン放送の信号処理を実行するアナログ信号処理部と、を備え、デジタルテレビジョン放送と、該デジタルテレビジョン放送と同一内容のアナログテレビジョン放送とを同時に受信・捕捉していずれか一方を選択的に出力するものであり、該アナログテレビジョン放送の信号処理の中に、当該信号を一定時間遅延させる処理を含んでいる。
【００１４】
なお、上記テレビジョン放送受信機は、移動体に備えられたものであっても良い。
【００１５】
また、上記の課題を解決する本発明の一態様に係るテレビジョン放送受信方法は、サイマル方式のデジタルテレビジョン放送とアナログテレビジョン放送とを受信して捕捉するものであって、デジタルテレビジョン放送の受信強度が所定値よりも低い場合にのみ、出力される番組をアナログテレビジョン放送のものに切り替えるものであり、アナログテレビジョン放送の信号を一定時間遅延させて処理する。
【発明の効果】
【００１６】
本発明のテレビジョン放送受信機及びテレビジョン放送受信方法を採用すると、デジタルＴＶ放送の信号処理に要する時間と、アナログＴＶ放送の信号処理に要する時間とが実質的に同一となる為、これらの放送が切り替わったときに、モニタ及びスピーカに出力される映像・音声が、切り替わりの前後において連続したものとなる。この為、ユーザは、これらの放送が切り替わっても、違和感や不快感を覚えることがなくなり、ＴＶ放送を快適に視聴することができる。
【発明を実施するための最良の形態】
【００１７】
以下、図面を参照して、本発明の実施の形態のテレビジョン放送受信機の構成及び作用について説明する。
【００１８】
本発明の実施の形態のテレビジョン放送受信機は、例えば移動体である車両に搭載されており、ユーザに、デジタルＴＶ放送（ここでは地上波）の受信可／不可地域が混在する為に発生し得るデジタルＴＶ放送とアナログＴＶ放送（ここでは地上波）との切り替わりによる違和感や不快感を与えることなく、ＴＶ番組を快適に視聴させることができる装置である。
【００１９】
図１は、本実施形態のテレビジョン放送受信機１００の構成を示したブロック図である。本実施形態のテレビジョン放送受信機１００は、制御部１０、操作部１２、記憶部１４、及び、映像・音声切替部５０を備えている。また、テレビジョン放送受信機１００には、例えばコンポーネント信号やコンポジット信号等を出力する端子（不図示）が設けられている。ユーザは、いずれかの端子にＴＶ番組の映像を表示させるモニタ（不図示）及び音声を出力させるスピーカ（不図示）を接続することにより、デジタルＴＶ放送やアナログＴＶ放送の番組を視聴することができる。
【００２０】
制御部１０は、内蔵された発振器が生成するクロックパルスに基づいて時間をカウントするカウント部１０ａを有しており、当該クロックパルスに合わせて作動し、テレビジョン放送受信機１００全体の制御を統括して行う。また、操作部１２は、テレビジョン放送受信機１００をユーザに操作させる為に設けられたものである。また、記憶部１４は、各種処理を実行する為に必要な様々な情報を記憶している。記憶部１４に記憶された情報には、例えば、デジタルＴＶ放送のチャンネル情報とそれに対応したアナログＴＶ放送のチャンネル情報（ここでは、あるデジタルＴＶ放送と同一時間に同一番組を放送しているアナログＴＶ放送）とを関連付けたものがある。また、映像・音声切替部５０は、制御部１０に制御され、デジタルＴＶ放送又はアナログＴＶ放送のいずれか一方の映像信号及び音声信号をモニタ及びスピーカに選択的に出力することができる。
【００２１】
なお、ユーザは、操作部１２を操作することにより、例えば視聴したいＴＶ放送のチャンネルを選択することができる。操作部１２が操作されるとその操作に応じた信号が制御部１０に入力される。これにより、制御部１０は、現在設定されているＴＶ放送のチャンネルなどを認識することができる。また、記憶部１４に記憶されたデジタルＴＶ放送のチャンネル情報とアナログＴＶ放送のチャンネル情報との関連付けは、操作部１２を操作することによってユーザが各自設定することもできる。
【００２２】
ここで、デジタルＴＶ放送の番組を出力する為の構成及び作用について説明する。テレビジョン放送受信機１００は、制御部１０の制御下で作動する、デジタルＴＶ放送の番組を出力する為の構成として、デジタル用アンテナ２２、デジタル用チューナ２４、ＯＦＤＭ（Orthogonal Frequency Division Multiplexing）部２６、及び、ＭＰＥＧ（Moving Picture Experts Group）部２８を備えている。
【００２３】
デジタル用アンテナ２２は、デジタルＴＶ放送を受信してデジタル用チューナ２４に出力する。デジタル用チューナ２４は、デジタル用アンテナ２２が受信した信号の中から所定のチャンネルのデジタルＴＶ放送（例えば操作部１２の操作で設定されているチャンネル）を捕捉してＯＦＤＭ部２６に出力する。ＯＦＤＭ部２６は、デジタル信号を例えば数千のキャリアに分割し、各キャリア毎に位相を合わせて合成（例えば最大比合成）処理を行った上で復調してＭＰＥＧ部２８に出力する。ＭＰＥＧ部２８は、ＯＦＤＭ部２６から出力された信号を、デコードし、デジタルＴＶ放送の映像信号及び音声信号として映像・音声切替部５０に出力する。映像・音声切替部５０がデジタルＴＶ放送の映像信号及び音声信号を出力するように設定されている場合、これらの信号がモニタ及びスピーカから出力され、ユーザは、地上波のデジタルＴＶ放送を視聴することができる。
【００２４】
次に、アナログＴＶ放送の番組を出力する為の構成及び作用について説明する。テレビジョン放送受信機１００は、制御部１０の制御下で作動する、アナログＴＶ放送の番組を出力する為の構成として、アナログ用アンテナ３２、アナログ用チューナ３４、Ａ／Ｄコンバータ３６、メモリ３８、及び、Ｄ／Ａコンバータ４０を備えている。
【００２５】
アナログ用アンテナ３２は、アナログＴＶ放送を受信してアナログ用チューナ３４に出力する。アナログ用チューナ３４は、アナログ用アンテナ３２が受信した信号の中から所定のチャンネル（デジタル用チューナ２４が捕捉したものに対応するチャンネル）のアナログＴＶ放送の信号を捕捉して復調し、Ａ／Ｄコンバータ３６に出力する。Ａ／Ｄコンバータ３６は、アナログ用チューナ３４から出力されたアナログの映像信号及び音声信号を、デジタル信号に変換し、メモリ３８に出力する。
【００２６】
メモリ３８は、例えば、最大で約２秒分の映像信号及び音声信号を蓄積することができる。そして制御部１０からの命令がない限り、これらの信号を、蓄積し続けていき、出力することはない。なお、制御部１０は、メモリ３８に、映像信号及び音声信号を格納させるとき、互いの信号をフレーム単位で同期させる同期信号を生成して映像信号及び音声信号と共に格納させる。そして当該メモリ３８から映像信号及び音声信号を出力させるとき、互いの信号を、上記同期信号に基づいてフレーム単位で同期させて出力する。
【００２７】
メモリ３８に格納された信号は、後述する遅延処理実行後にＤ／Ａコンバータ４０に出力される。Ｄ／Ａコンバータ４０は、デジタル信号をアナログの映像信号及び音声信号に変換し、アナログＴＶ放送の映像信号及び音声信号として映像・音声切替部５０に出力する。映像・音声切替部５０がアナログＴＶ放送の映像信号及び音声信号を出力するように設定されている場合、これらの信号がモニタ及びスピーカから出力され、ユーザは、地上波のアナログＴＶ放送を視聴することができる。
【００２８】
なお、映像・音声切替部５０の出力設定は、制御部１０の制御下で、デジタル用アンテナ２２の受信強度に基づいて実行される。説明を加えると、制御部１０は、デジタル用アンテナ２２の受信強度を常時監視しており、デジタル用アンテナ２２の受信強度が所定値以上の場合には、モニタ及びスピーカへの出力信号がデジタルＴＶ放送の映像信号及び音声信号となるように映像・音声切替部５０を制御する。また、デジタル用アンテナ２２の受信強度が所定値よりも低い場合には、当該出力信号がアナログＴＶ放送の映像信号及び音声信号となるように映像・音声切替部５０を制御する。
【００２９】
また、制御部１０は、上述のデジタルＴＶ放送の信号処理を実行しつつアナログＴＶ放送の信号処理も並行して実行している。従って、映像・音声切替部５０には、両方のＴＶ放送の信号が常時入力されている。この為、映像・音声切替部５０の出力設定が切り替えられると、切替後に設定された信号はモニタ及びスピーカに直ぐさま出力される。
【００３０】
ここで、本実施形態の如きテレビジョン放送受信機において、デジタルＴＶ放送の信号処理（信号捕捉からモニタ及びスピーカへの出力までを含む処理）は、アナログＴＶ放送の信号処理よりも１．５秒間長く掛かる。従って、映像・音声切替部に入力されるデジタルＴＶ放送の番組内容は、アナログＴＶ放送のものよりも常に１．５秒遅れたものとなる。この為、映像・音声切替部の設定を切り替えたとき、モニタ及びスピーカに出力される映像・音声は、切り替わりの前後で不連続なものとなってしまい、ユーザに違和感や不快感を与えていた。なお、本実施形態では各ＴＶ放送の信号処理時間の差を１．５秒としているが、この値は、テレビジョン放送受信機の仕様に応じて様々な値に変動し得る。
【００３１】
上述の如き問題を解決する為に、本実施形態では、図２のフローチャートに示された遅延処理を実行している。以下に、図２を参照して、本実施形態の制御部１０が実行する遅延処理について説明する。なお、本実施形態の遅延処理は、例えばテレビジョン放送受信機１００の電源（不図示）がオンされた時点或いは新たなチャンネルに変更された時点で開始される。
【００３２】
チャンネルの設定や電源オン等をトリガーとして、制御部１０は、デジタル用チューナ２４及びアナログ用チューナ３４の両方でＴＶ放送を捕捉する。アナログ用チューナ３４によって捕捉されたアナログＴＶ放送の映像信号及び音声信号は、制御部１０の制御下で、Ａ／Ｄコンバータ３６を介してメモリ３８に格納される（ステップ１、以下、ステップを「Ｓ」と略記）。なお、メモリ３８に格納された映像信号及び音声信号は、電源がオフされたときや新たなチャンネルに変更されたときに、一旦消去される。
【００３３】
制御部１０は、メモリ３８への信号の格納と同時に、カウント部１０ａのカウント値Ｃを０にリセットし（Ｓ２）、所定時間待機して（Ｓ３）カウント値Ｃを１インクリメントする（Ｓ４）。そしてカウント値Ｃが所定値ｎに達したか否かを判定する（Ｓ５）。
【００３４】
カウント値Ｃが所定値ｎに達していないと判定した場合（Ｓ５：ＮＯ）、制御部１０は、Ｓ３の処理に戻り、Ｓ３〜Ｓ５の一連の処理を繰り返し実行する。また、カウント値Ｃが所定値ｎに達したと判定した場合（Ｓ５：ＹＥＳ）、Ｓ１の信号格納処理から１．５秒経過したと判断する。なお、このときメモリ３８には、Ｓ１〜Ｓ５の一連の処理を実行している間もアナログＴＶ放送の映像信号及び音声信号が順次格納されている為、１．５秒分に相当する映像信号及び音声信号が蓄積されている。
【００３５】
Ｓ５の処理において、Ｓ１の信号格納処理から１．５秒経過したと判断したとき、制御部１０は、アナログＴＶ放送の映像信号及び音声信号を、上記同期信号に基づいて互いに同期させた状態で、格納された順に１フレーム毎に出力し（Ｓ６）、本実施形態の遅延処理を終了させる。なお、本実施形態では、方式が例えばＮＴＳＣ（National Television Standards Committee）であり、メモリ３８からは１／３０秒毎に１フレームの信号が出力される。
【００３６】
上述した遅延処理を実行することにより、アナログＴＶ放送の信号処理に要する時間が、１．５秒長くなり、デジタルＴＶ放送の信号処理に要する時間と実質的に同一となる。従って、映像・音声切替部に入力されるデジタルＴＶ放送とアナログＴＶ放送の番組内容の時間的な差がなくなる。この為、映像・音声切替部５０の設定を切り替えたとき、モニタ及びスピーカに出力される映像・音声が、切り替わりの前後において連続したものとなる。この結果、ユーザは、デジタルＴＶ放送とアナログＴＶ放送とが切り替わっても、違和感や不快感を覚えることがなくなる。
【００３７】
なお、制御部１０は、１フレームの映像信号及び音声信号をメモリ３８から出力させる毎に、新たに取得された１フレームの映像信号及び音声信号を当該メモリ３８に格納させる。従って、電源オフやチャンネル変更をしない限り、メモリ３８には、１．５秒分の映像信号及び音声信号が常に蓄積されている。この為、以降の映像信号及び音声信号は、図２に示された遅延処理を実行することなくメモリ３８に１．５秒保持される。これにより、制御部１０は、当該遅延処理を、電源オフやチャンネル変更をしない限りは実行する必要がない。
【００３８】
以上が本発明の実施形態である。本発明はこれらの実施形態に限定されるものではなく様々な範囲で変形が可能である。
【００３９】
なお、本実施形態のテレビジョン放送受信機は車載されたものであるが、別の実施例では人が携帯するような機器であっても良い。
【００４０】
また、本実施形態ではデジタルＴＶ放送とアナログＴＶ放送との切り替わり時の音声及び映像を連続的にさせる為に互いの信号処理時間の差に相当する１．５秒をカウントしているが、別の実施形態では例えば同期信号を利用することによって互いの信号処理時間の差をなくすこともできる。この場合、例えば各同期信号を、デジタルＴＶ放送とアナログＴＶ放送とで共用するものであって、１フレームのデジタルＴＶ放送と、それと同一内容の１フレーム分のアナログＴＶ放送の為のものとする。これにより、デジタルＴＶ放送とアナログＴＶ放送とがフレーム単位で関連付けられる為、切り替わり時において出力されるフレーム（すなわち映像及び音声）を連続的なものとすることができる。
【図面の簡単な説明】
【００４１】
【図１】本発明の実施の形態のテレビジョン放送受信機の構成を示したブロック図である。
【図２】本実施形態の制御部が実行する遅延処理を示したフローチャートである。
【符号の説明】
【００４２】
１０  制御部
１０ａ  カウント部
３６  Ａ／Ｄコンバータ
３８  メモリ
４０  Ｄ／Ａコンバータ
５０  映像・音声切替部
１００  テレビジョン放送受信機
【図１】
2006173964.tif 000003
【図２】
2006173964.tif 000004